(57)【要約】  コンテンツ情報（ＣＩ）を記録し、その後暗号キーを含む制御情報（ＳＩ）を記録する。コンテンツ情報（ＣＩ）を書込む領域は、再生専用型ディスクにおいてユーザ領域（ＵＩＡ）に対してシフトさせたものとする。制御情報（ＳＩ）の書き込みの際も同じだけシフトさせる。シフトの結果、再生専用型ディスクにおいて制御情報の記録される領域（ＳＩＡ）には、コンテンツ情報（ＣＩ）またはダミーデータ（ＤＤ）が書き込まれるようにする。シフトの値を示す情報は、ランダムに選択され、ディスクが記録装置から取り出されるときに破棄される。暗号化されたコンテンツを記録型光ディスクへダウンロード記録するに際して、正しく１回だけ完全なコンテンツをディスクに記録することが可能となる。
2009050907.tif 000002
【特許請求の範囲】
【請求項１】
コンテンツの暗号キーを含む制御情報と、該暗号化キーを利用して暗号化されたデータを含むコンテンツ情報とから成り、サーバからダウンロードされ、情報端末機器で受信するダウンロードデータを、該情報端末機器に備えられる記録装置によって記録型光ディスクに記録し、所定の再生専用型光ディスク用の再生装置で再生可能な情報記録媒体として提供する情報記録方法であって、
前記コンテンツ情報を前記記録型光ディスクの第１の所定位置に記録する第１のステップと、
前記第１のステップの後に、前記制御情報を前記記録型光ディスクの第２の所定位置に記録する第２のステップとを有し、
前記第１のステップは、
前記第１の所定位置を、再生専用型光ディスクにおいて前記コンテンツ情報の記録される領域の物理アドレスに対して所定範囲内でシフトさせるシフト値を選定するサブステップと、
該選定したシフト値を情報端末機器内に一時記憶するサブステップと、
該選定したシフト値に基づいて定めた前記第１の所定位置に前記コンテンツ情報を記録するサブステップとを有し、
前記第２のステップは、再生専用型光ディスクにおいて前記制御情報の記録される領域の物理アドレスに対して、前記一時記憶したシフト値と同じだけシフトした位置を前記第２の所定位置と定めて、該第２の所定位置に前記制御情報を記録し、
前記第１のステップの開始後に前記光ディスクが前記記録装置から取り出されるときに前記一時記憶したシフト値を破棄するステップをさらに有する
ことを特徴とする情報記録方法。
【請求項２】
前記第１のステップの前記シフト値を選定するサブステップにおいて、前記シフト値を、再生専用型光ディスクにおいて制御情報の記録される領域が前記第１の所定位置に含まれるように選定する
ことを特徴とする請求項１に記載の情報記録方法。
【請求項３】
前記第１のステップの前記シフト値を選定するサブステップにおいて、前記シフト値を、再生専用型光ディスクにおいて制御情報の記録される領域が前記第２の所定位置に含まれないように選定し、
前記第１のステップが、再生専用型光ディスクにおいて制御情報の記録される領域にダミーデータを記録するサブステップをさらに有する
ことを特徴とする請求項１に記載の情報記録方法。
【請求項４】
前記第１のステップが、
前記選定されたシフト値により定められた前記第１の所定位置が、再生専用型光ディスクにおいて制御情報の記録される領域を含むかどうかを判定するサブステップと、
前記判定するサブステップにおいて、前記シフト値により定められた前記第１の所定位置が、再生専用型光ディスクにおいて制御情報の記録される領域を含まないと判定された場合には、再生専用型光ディスクにおいて制御情報の記録される領域にダミーデータを記録するサブステップとをさらに有する
ことを特徴とする請求項１に記載の情報記録方法。
【請求項５】
コンテンツの暗号キーを含む制御情報と、該暗号化キーを利用して暗号化されたデータを含むコンテンツ情報とから成り、サーバからダウンロードされたダウンロードデータを、記録型光ディスクに記録し、所定の再生専用型光ディスク用の再生装置で再生可能な情報記録媒体として提供する情報記録装置であって、
サーバからダウンロードされたダウンロードデータを、記録型光ディスクに記録する記録装置と、
前記記録装置に、前記コンテンツ情報を前記記録型光ディスクの第１の所定位置に記録させ、前記コンテンツ情報の記録が行われた後で、前記制御情報を前記記録型光ディスクの第２の所定位置に記録させる通信・制御装置とを備え、
前記通信・制御装置は、
前記第１の所定位置を、再生専用型光ディスクにおいて前記コンテンツ情報の記録される領域の物理アドレスに対して所定範囲内でシフトさせるシフト値を選定し、選定されたシフト値を前記情報記録装置内のメモリに記憶させ、該選定したシフト値に基づいて定められた前記第１の所定位置に前記コンテンツ情報を記録させ、
再生専用型光ディスクにおいて前記制御情報の記録される領域の物理アドレスに対して、前記一時記憶したシフト値と同じだけシフトした位置を前記第２の所定位置と定めて、該第２の所定位置に前記制御情報を記録させ、
前記コンテンツ情報の記録の開始後に前記記録型光ディスクが取り出されるときに前記一時記憶したシフト値を前記メモリから破棄させる
ことを特徴とする情報記録装置。
【請求項６】
前記通信・制御装置は、前記シフト値を、再生専用型光ディスクにおいて制御情報の記録される領域が前記第１の所定位置に含まれるように選定する
ことを特徴とする請求項５に記載の情報記録装置。
【請求項７】
前記通信・制御装置は、
前記シフト値を、再生専用型光ディスクにおいて制御情報の記録される領域が前記第２の所定位置に含まれないように選定し、
前記記録装置に、再生専用型光ディスクにおいて制御情報の記録される領域にダミーデータを記録させる
ことを特徴とする請求項５に記載の情報記録装置。
【請求項８】
前記通信・制御装置は、
前記選定されたシフト値により定められた前記第１の所定位置が、再生専用型光ディスクにおいて制御情報の記録される領域を含むかどうかを判定し、
前記シフト値により定められた前記第１の所定位置が、再生専用型光ディスクにおいて制御情報の記録される領域を含まないと判定した場合には、前記記録装置に、再生専用型光ディスクにおいて制御情報の記録される領域にダミーデータを記録させる
ことを特徴とする請求項５に記載の情報記録装置。
【請求項９】
請求項１乃至４のいずれかに記載の情報記録方法によって、前記コンテンツ情報と前記制御情報が書き込まれた情報記録媒体。
【請求項１０】
請求項５乃至請求項８のいずれかに記載の情報記録装置によって、前記コンテンツ情報と前記制御情報が書き込まれた情報記録媒体。
【請求項１１】
請求項１乃至４のいずれかに記載の情報記録方法によって、前記コンテンツ情報と前記制御情報が書き込まれた情報記録媒体を製造する情報記録媒体製造方法。
【請求項１２】
請求項５乃至８のいずれかに記載の情報記録装置を備えて、前記コンテンツ情報と前記制御情報が書き込まれた情報記録媒体を製造する情報記録媒体製造装置。        
【発明の詳細な説明】
【技術分野】
【０００１】
本発明は、映像や音楽などのデジタルコンテンツをネットワークなどの通信手段を介してサーバから情報端末にダウンロード配信し、情報端末で光ディスクに記録するときの情報記録方法及び装置、情報記録媒体、並びに情報記録媒体製造方法及び装置に関する。
【背景技術】
【０００２】
現在、映像や音楽などのデジタルコンテンツは、ＤＶＤ等の再生専用型の光ディスク（例えば、非特許文献１参照）に収録して頒布されている。新しいコンテンツの流通形態として、コンテンツプロバイダがコンテンツをサーバ上に置き、購入を希望するユーザがインターネットなどの通信手段を介してサーバにアクセスし、購入するコンテンツをこの通信手段を介してユーザ端末にダウンロードし、ユーザ端末でＤＶＤ−Ｒ等の記録型の光ディスクに記録する方式が検討されている。ＤＶＤの例では、ダウンロード記録したディスクをＤＶＤプレーヤーで再生可能とするものがある（例えば、非特許文献２参照）。【０００３】
一方、サーバ上に置かれたコンテンツに対して、通信手段を介してサーバにアクセスし、そのコンテンツを視聴するシステムとして、コンテンツのストリーミング配信やダウンロード配信が既に実用化されている。これらの配信システムでは、コンテンツ購入時に契約した回数、もしくは、契約した期間の範囲内で、ユーザは配信されたコンテンツを自由に視聴可能である（例えば、特許文献１参照）。ただし配信されたコンテンツは専用の再生システムで再生するものとされ、光ディスク等の可換媒体に記録して保持したり、視聴回数や視聴期間の制限無しにコンテンツを視聴することはできない。【０００４】
先に述べたコンテンツの光ディスクへのダウンロード記録と、後に述べたコンテンツのストリーミング配信やダウンロード配信を比較すると、ユーザがコンテンツを視聴するに当たり、後者ではコンテンツに対して早送り・巻き戻し・スロー再生・一時停止などの簡単な操作しかできないのが一般的である。【０００５】
これに対して前者では、再生専用型光ディスクで提供されるオーサリング済みコンテンツと同じ内容物がダウンロードされてディスクに記録されるので、再生専用型光ディスクで頒布されるコンテンツと同じ複雑なユーザインターフェースを利用することが可能になる。例えば、再生専用型ＤＶＤ−Ｖｉｄｅｏでは、コンテンツの内容をチャプタに分けて各チャプタの代表画像と共にメニュー画面に一覧表示してユーザが選択して再生したり、言語や字幕をそれぞれ複数種類から選択したり、画面上に表示されるボタンをリモコンで選択・指定して様々な操作をしたりすることが可能である。ディスクにダウンロード記録するコンテンツも、これと同等の機能を有し、高い利便性を持つことが望まれている。【０００６】
ここで、利便性と共にコンテンツの著作権保護も重要であり、不正コピーを防止する機能についても同時に検討されている。しかし上記いずれの方式に対しても、コンテンツの著作権保護は、暗号やその運用システムの強化に注力されており（例えば、特許文献２参照）、コンテンツのデータ構造とディスク構造の組合せを利用して不正な複製を回避する方法は提案されていない。【０００７】
【特許文献１】特表２００４−５０７１２４号公報
【特許文献２】特開２００４−３５０１５０号公報
【非特許文献１】Ｓｔａｎｄａｒｄ  ＥＣＭＡ−２６７、ＥＣＭＡ発行、２００１年、ｐ．３２−３７
【非特許文献２】東芝レビュー、２００５年、Ｖｏｌ．６０、Ｎｏ．２、ｐ．５０−５３
【発明の開示】
【発明が解決しようとする課題】
【０００８】
通信手段を介してコンテンツをダウンロードするとき、通信のデータ転送レートや連続性・再接続性が制約になる。ダウンロードしたコンテンツをディスクに記録中に、通信品質の低下によって転送レートが低下したり、途絶したりする恐れがあり、記録するユーザ端末側でも、記録するディスクに欠陥があったり、記録中に記録装置に衝撃が加わる等、予期できない悪条件が発生する恐れもある。特に、課金された有料コンテンツをダウンロードしている最中には、このような事態が発生して１枚のディスクの記録に失敗しても、コンテンツの記録に失敗しない対策が必要である。つまり、１枚のディスクの記録に失敗したとき、別の新しいディスクに入れ替えて、この新しいディスクにダウンロードするコンテンツの全てを記録することが必要である。【０００９】
一方、コンテンツプロバイダにとって、ダウンロードする有料コンテンツを不正にコピーしようとする海賊行為への対策も必要である。従来の再生専用型光ディスクに対する不正コピーでは、暗号などの著作権保護技術で守られたディスクに対して、そのディスク上のデジタルデータを別のディスクにコピーされたり、暗号の不正解読により著作権保護技術を外されたデジタルデータを取り出されて制約無しに複製されたりする海賊行為が脅威であった。【００１０】
本発明の対象とするコンテンツのディスクへのダウンロード記録では、さらに、上記のようなディスクの記録失敗に対する対策を悪用した形で不正コピーがなされるという新たな脅威が考えられる。すなわち、１枚目のディスクへの記録が成功したにも関わらず失敗したと偽装して２枚目のディスクへコンテンツの再記録を実施させたり、記録を意図的に遮断して記録失敗させたディスクを複数作り、これらのディスクに適当な補修処理を施すことによって正常に再生可能なディスクに加工して、不正に数増しした複製を取得される可能性が考えられる。【００１１】
上記の状況に鑑み、本発明は、コンテンツを記録型ディスクへダウンロード記録するに際して、正しく１回だけ完全なコンテンツをディスクに記録して、再生専用型ディスク用の再生装置で再生可能なディスクを作成する情報記録方法、及び情報記録装置を提供することを目的とする。
また本発明は、ダウンロード記録中に記録失敗となったディスクに対して、後から補修処理を施しても再生装置でそのディスクの再生を排除できるような情報記録方法と、情報記録装置を提供することを目的とする。
【課題を解決するための手段】
【００１２】
本発明の情報記録方法は、  コンテンツの暗号キーを含む制御情報と、該暗号化キーを利用して暗号化されたデータを含むコンテンツ情報とから成り、サーバからダウンロードされ、情報端末機器で受信するダウンロードデータを、該情報端末機器に備えられる記録装置によって記録型光ディスクに記録し、所定の再生専用型光ディスク用の再生装置で再生可能な情報記録媒体として提供する情報記録方法であって、
前記コンテンツ情報を前記記録型光ディスクの第１の所定位置に記録する第１のステップと、
前記第１のステップの後に、前記制御情報を前記記録型光ディスクの第２の所定位置に記録する第２のステップとを有し、
前記第１のステップは、
前記第１の所定位置を、再生専用型光ディスクにおいて前記コンテンツ情報の記録される領域の物理アドレスに対して所定範囲内でシフトさせるシフト値を選定するサブステップと、
該選定したシフト値を情報端末機器内に一時記憶するサブステップと、
該選定したシフト値に基づいて定めた前記第１の所定位置に前記コンテンツ情報を記録するサブステップとを有し、
前記第２のステップは、再生専用型光ディスクにおいて前記制御情報の記録される領域の物理アドレスに対して、前記一時記憶したシフト値と同じだけシフトした位置を前記第２の所定位置と定めて、該第２の所定位置に前記制御情報を記録し、
前記第１のステップの開始後に前記光ディスクが前記記録装置から取り出されるときに前記一時記憶したシフト値を破棄するステップをさらに有する
ことを特徴とする。【００１３】
本発明の情報記録装置は、
コンテンツの暗号キーを含む制御情報と、該暗号化キーを利用して暗号化されたデータを含むコンテンツ情報とから成り、サーバからダウンロードされたダウンロードデータを、記録型光ディスクに記録し、所定の再生専用型光ディスク用の再生装置で再生可能な情報記録媒体として提供する情報記録装置であって、
サーバからダウンロードされたダウンロードデータを、記録型光ディスクに記録する記録装置と、
前記記録装置に、前記コンテンツ情報を前記記録型光ディスクの第１の所定位置に記録させ、前記コンテンツ情報の記録が行われた後で、前記制御情報を前記記録型光ディスクの第２の所定位置に記録させる通信・制御装置とを備え、
前記通信・制御装置は、
前記第１の所定位置を、再生専用型光ディスクにおいて前記コンテンツ情報の記録される領域の物理アドレスに対して所定範囲内でシフトさせるシフト値を選定し、選定されたシフト値を前記情報記録装置内のメモリに記憶させ、該選定したシフト値に基づいて定められた前記第１の所定位置に前記コンテンツ情報を記録させ、
再生専用型光ディスクにおいて前記制御情報の記録される領域の物理アドレスに対して、前記一時記憶したシフト値と同じだけシフトした位置を前記第２の所定位置と定めて、該第２の所定位置に前記制御情報を記録させ、
前記コンテンツ情報の記録の開始後に前記記録型光ディスクが取り出されるときに前記一時記憶したシフト値を前記メモリから破棄させる
ことを特徴とする。【００１４】
本発明の情報記録媒体は、上記情報記録方法又は装置によって、コンテンツ情報と制御情報が書き込まれたものである。【００１５】
本発明の情報記録媒体製造方法は、上記の情報記録方法によって、コンテンツ情報と制御情報が書き込まれた情報記録媒体を製造するものである。
本発明の情報記録媒体製造装置は、上記の情報記録装置を備えて、コンテンツ情報と制御情報が書き込まれた情報記録媒体を製造するものである。
【発明の効果】
【００１６】
本発明によれば、暗号化されたコンテンツを記録型光ディスクへダウンロード記録するに際して、正しく１回だけ完全なコンテンツをディスクに記録して、再生専用型光ディスク用の再生装置で再生可能な光ディスクを作成することが可能になる。【００１７】
また、ダウンロード記録中に記録失敗したディスクに対して、後から補修処理を施すことによって再生可能なディスクに改変されたり、不正に複製されることを回避することができる。【００１８】
さらに、本発明の情報記録方法、及び情報記録装置によって記録された情報記録媒体である光ディスクは、記録途中で不正な複製を回避する機能を発揮しつつ暗号化されたコンテンツを収録し、かつ、記録後は既存の再生装置で再生することができる。
【図面の簡単な説明】
【００１９】
【図１】本発明の実施の形態１に係る情報記録装置の構成を示すブロック図である。
【図２】再生専用型光ディスクの領域構成の説明図である。
【図３】本発明の実施の形態１に係る情報記録方法によって記録される光ディスクの領域構成を示す説明図である。
【図４】本発明の実施の形態１に係る情報記録方法によって記録される光ディスクの領域構成を示す説明図である。
【図５】本発明の実施の形態１に係る情報記録方法における記録の手順を示すフローチャートである。
【図６】図５のステップＳＴＩの詳細を示すフローチャートである。
【図７】図５のステップＳＴＩＩ及びステップＳＴＩＩＩの詳細を示すフローチャートである。
【図８】本発明の実施の形態２に係る情報記録方法によって記録される光ディスクの領域構成を示す説明図である。
【図９】本発明の実施の形態２に係る情報記録方法によって記録される光ディスクの領域構成を示す説明図である。
【図１０】実施の形態２において、実施の形態１の図６の処理の代わりに行われる処理を示すフローチャートである。
【図１１】実施の形態３において、実施の形態１の図６の処理の代わりに行われる処理を示すフローチャートである。
【符号の説明】
【００２０】
１  コンテンツサーバ、  ２  コンテンツ、  ３  ネットワーク、  ４  ユーザ端末機器、  ５  通信・制御手段、  ５ｃ  メモリ、  ６  ハードディスク、  ７  記録装置、  ７ａ  装着・取り出し検出手段、  ８  記録媒体、  ９  ユーザインタフェース。
【発明を実施するための最良の形態】
【００２１】
実施の形態１．
本発明の実施の形態１に係る情報記録方法及び装置は、映像や音声などのデジタルコンテンツが蓄積されているコンテンツサーバから、コンテンツの情報をインターネットなどの通信回線を介して情報端末機器、例えばユーザの手元にある端末機器にダウンロードして情報記録媒体、例えば記録型光ディスクに記録し、例えばユーザの保有する光ディスク再生装置で再生可能なディスクを作成するものである。特に、情報記録装置として、既存の光ディスク再生装置による再生互換性を高めると共に、著作権保護のかかったコンテンツに対して情報端末機器における著作権保護の回避や不正コピーを防止する機能を強化するという特長を持つ。【００２２】
図１は、本発明の実施の形態１に適用するコンテンツのダウンロード記録システムの全体構成を示すブロック図である。図示したように、実施の形態１に係るダウンロード記録システムは、コンテンツ・プロバイダがダウンロード配信用に供給する複数のコンテンツ２を蓄積しているコンテンツサーバ１と、ダウンロード配信の通信手段として用いられるネットワーク３と、ネットワーク３を介してダウンロードされるコンテンツを受信する情報端末機器、例えばユーザ端末機器４から構成される。【００２３】
ユーザ端末機器４はその内部に、ネットワーク３と通信を行なってコンテンツサーバ１に収容されているコンテンツ２の中からユーザの所望するコンテンツを指定したり、ダウンロードされるコンテンツを記録するための制御を行なう通信・制御装置５と、ダウンロードされたコンテンツを記録媒体８に記録する記録装置７と、必要に応じてダウンロードされたコンテンツをユーザ端末機器４内にバッファ記録しておくためのハードディスク６を備えている。ここで、記録媒体８としては、記録型光ディスクを想定している。通信・制御装置５は、ユーザ端末機器の全体を制御する機能をも有するものであり、少なくともＣＰＵ５ａとプログラムメモリ５ｂを備え、その機能をソフトウェアにより、即ちプログラムメモリに格納されたプログラムにより制御されるＣＰＵにより実現する。通信・制御装置５はさらにデータメモリ５ｃを備え、このデータメモリ５ｃにより動作中に発生されるデータを一時的に記憶する。【００２４】
記録装置７は、記録した記録型光ディスク、例えばＤＶＤ−Ｒ等の記録型光ディスクが、所定の再生専用型光ディスク用の再生装置、例えばこの場合はＤＶＤプレーヤーで再生可能なディスクになるようなデータフォーマットで記録を実施する。具体的には、ＤＶＤ−Ｖｉｄｅｏフォーマットが、すべてのＤＶＤプレーヤーで再生可能なデータフォーマットであることから、ダウンロードされたコンテンツをＤＶＤ−ＶｉｄｅｏフォーマットでＤＶＤ−Ｒ等に記録すれば、コンテンツ記録済みディスクは、どのＤＶＤプレーヤーでも再生することが可能になる。【００２５】
記録装置７は、記録媒体８の装着、取り出しを検出する装着・取り出し検出手段８ａを備えている。【００２６】
例えばユーザインタフェース９は、ユーザ端末装置４のユーザにより操作されて、通信・制御装置５に制御コマンドを送る。この制御コマンドには、コンテンツの選択を指示するもの、ダウンロード（記録）の開始を指示するもの、記録媒体８の取り出しを指示するものなどが含まれる。
ユーザ端末機器４は、全体として、ダウンロードされた情報を記録する機能を有するものであり、情報記録装置とも呼ばれる。【００２７】
さて、話の順序としてまず、再生専用型光ディスクにおけるデータフォーマットを説明する。コンテンツが商業価値の高いものであるとき、ダウンロードされたコンテンツを不正コピーや不正な改変から保護する必要があるので、著作権保護技術が適用される。再生専用型光ディスクに収録されるＤＶＤ−Ｖｉｄｅｏフォーマットのコンテンツは、ＣＳＳと呼ばれる著作権保護技術によって保護される。ＣＳＳでは、コンテンツの所定部分をタイトルキーと呼ぶ暗号キーによってスクランブル、すなわち、暗号化する処理を施して、タイトルキーと共にディスクに記録している。ただしタイトルキー自体はそのままではなく、ディスクキーと呼ぶ別の暗号キーによって暗号化処理を施して記録し、著作権が保護できるようにしている。したがってコンテンツの再生には、まずディスクキーによってタイトルキーを解読した後、解読したタイトルキーによってスクランブルしたコンテンツを復元する必要がある。ディスクキーも別の手段で暗号化され、ユーザが直接読み出すことができないように、ディスク上の制御情報領域の中に制御データの一部として記録される。制御データの中に記録された暗号化されたディスクキーは、解読のための特定の秘密情報を正規に入手して設計されたデバイスによって解読が可能になる。【００２８】
図２に、再生専用型光ディスクであるＤＶＤ−Ｖｉｄｅｏのディスク上の領域構成を示す。ディスク上には、ディスクの内周側から外周側に向けて１本の記録トラックが螺旋状に配され、記録トラックは記録データへのアクセスの便のために、２４１８バイトのデータを保持する一定長のセクタに区分されている。各セクタには、ディスク上の位置を示す物理アドレスとして、２４ビットの２進数によるセクタ番号が、内周から外周に向けて昇順の連番で付番されている。ディスクの半径位置２４．０００ｍｍを境界として、ここから外周側がユーザ情報領域ＵＩＡと規定されている。ユーザ情報領域ＵＩＡの先頭セクタのセクタ番号は、０３００００ｈ（ここでｈは１６進数表記を示す）である。ユーザ情報領域ＵＩＡには、ファイルシステムも含めたコンテンツ情報ＣＩのすべてが記録される。【００２９】
ユーザ情報領域ＵＩＡはコンテンツ情報ＣＩの終端セクタで終わり、そこより外周側はリードアウト領域ＲＯＡになっている。リードアウト領域ＲＯＡのセクタには、光ヘッドがアクセスしたときに位置を把握するためのセクタ番号のほかに有意なデータは入っていない。【００３０】
ディスクの半径位置２４．０００ｍｍより内周側はリードイン領域ＲＩＡと規定されており、その末尾のセクタ（従って、リードイン領域ＲＩＡに記録されるデータの最後のセクタ）のセクタ番号が０２ＦＦＦＦｈとなる。リードイン領域ＲＩＡには、再生装置でこのディスクを駆動するとき必要な情報や上記の暗号化されたディスクキーの記録されている制御データＳＤ等がある。制御データＳＤの記録されるセクタのセクタ番号は、０２Ｆ２００ｈから０２ＦＤＦＦｈである。また制御情報領域ＳＩＡは、セクタ番号が０２Ｆ０００ｈから０２ＦＦＦＦｈのセクタから成り、基準コードＲＣ、パディングデータ−２（ＰＤ２）、制御データＣＤ、パディングデータ−３（ＰＤ３）のセクタをまとめた領域である。
基準コードＲＣは、再生装置でこのディスクを駆動するとき必要な情報の一部を成す。
パディングデータは、規格で規定されている領域であり、例えばすべて００ｈの値を有するデータである。但し、００ｈ以外の任意の値を有するものであっても良い。【００３１】
再生専用型のＤＶＤ−Ｖｉｄｅｏのディスクを製作するとき、まずコンテンツをオーサリングした後、セクタ番号も含めてディスク上に記録するセクタ単位のデータフォーマットに加工し、さらに、制御情報領域ＳＩＡを含むリードイン領域ＲＩＡや、リードアウト領域ＲＯＡのセクタのデータも連結して、１本の記録トラック上に順に並ぶデータ列にする。ここで、制御情報領域ＳＩＡのセクタにはセクタ番号として０２Ｆ０００ｈから０２ＦＦＦＦｈが、コンテンツ情報ＣＩの入るユーザ情報領域ＵＩＡのセクタにはセクタ番号として０３００００ｈ以上の値が、それぞれ割り当てられる。したがって、再生専用型のＤＶＤ−Ｖｉｄｅｏディスク上では、制御情報領域ＳＩＡはセクタ番号が０２Ｆ０００ｈから０２ＦＦＦＦｈとなり、ユーザ情報領域ＵＩＡはセクタ番号が０３００００ｈ以上となる。再生専用型のディスクの場合、ディスク上の位置を示す物理アドレスと、そこのセクタに記録されるデータのセクタ番号は完全に一致している。【００３２】
ＤＶＤ−Ｖｉｄｅｏディスクを再生するＤＶＤプレーヤーは、上述した再生専用型ＤＶＤ−Ｖｉｄｅｏディスクを再生するよう設計された再生装置である。したがって、コンテンツ情報はセクタ番号が０３００００ｈ以上のセクタに、また、ディスクキー等の記録されている制御データＳＤはセクタ番号が０２Ｆ２００ｈから０２ＦＤＦＦｈのセクタに、それぞれ格納されているものとして再生のためのデータ読み出しを行う。【００３３】
話をダウンロードしたコンテンツの記録に進める。ダウンロードしたコンテンツのデータを記録するＤＶＤ−Ｒ等の記録型光ディスクは、データを記録する以前はブランクディスクである。ブランクディスク上には、内周側から外周側に向けて１本の記録トラックとなる螺旋状の案内溝が刻まれ、案内溝にはディスク上の位置を示す物理アドレスがエンボスピットの形で付与されている。物理アドレスは、その位置に本来記録されるべきセクタのセクタ番号を示している。セクタのサイズは、再生専用型光ディスクと同じ２４１８バイトのデータを保持する一定の長さである。記録トラック上でディスクの半径位置２４．０００ｍｍのセクタが書かれる部分には、物理アドレス０３００００ｈが付与されている。【００３４】
このブランクディスクに対して、上述したコンテンツ情報や制御データを記録していく。各セクタのデータの先頭部分には、セクタ番号が記録される。本発明によるシフトを行なわない場合には、各セクタのデータは、当該セクタのセクタ番号と同じ物理アドレスのセクタに記録される。そして、再生時には、物理アドレスは参照されず、各セクタに記録されたセクタ番号が参照される。物理アドレス０３００００ｈと示された位置から外周側に向けてコンテンツ情報を記録すると、記録後そのディスクを再生するＤＶＤプレーヤーによって、その部分はセクタ番号０３００００ｈから始まるユーザ情報領域ＵＩＡと解釈される。同様に、物理アドレス０２Ｆ２００ｈから０２ＦＤＦＦｈと示された位置に制御データＳＤを記録すると、記録後そのディスクを再生するＤＶＤプレーヤーによって、その部分はセクタ番号０２Ｆ２００ｈから０２ＦＤＦＦｈに記録されている制御データの領域ＳＤＡと解釈される。【００３５】
さて、コンテンツのダウンロード配信において生じる新たな脅威として、ディスクの記録失敗を偽装してコンテンツを不正に数増しして取得することを指摘した。以下に、具体的な脅威とそれに対する対抗策を説明する。
サーバからユーザ端末機器にコンテンツをダウンロードし、ＤＶＤ−Ｒディスクに記録するとき、ユーザ端末機器におけるディスクへの記録を途中で意図的に中断させて記録失敗したこととし、新しいブランクディスクに入れ替え、サーバに対して新しいディスクへのコンテンツの再送信を要求することが考えられる。【００３６】
ここで例えば、ＤＶＤ−Ｒディスクへの記録をリードイン領域ＲＩＡから開始し、ユーザ情報領域ＵＩＡ、リードアウト領域ＲＯＡと、順に外周側へ記録するように設計していた場合を考える。リードアウト領域ＲＯＡに入ったあたりでユーザ端末機器におけるディスクへの記録を中断させたとすると、そのディスクにはディスクキーを含む制御情報やコンテンツ情報が完全に記録されているので、あとから別な記録装置でリードアウト領域ＲＯＡを補充記録するだけで、ＤＶＤプレーヤーで完全に再生可能なディスクが完成する。サーバに対して要求したコンテンツの再送信が認められると、新しいＤＶＤ−Ｒディスクへ同じコンテンツの記録が再び行われる。
有料コンテンツで記録失敗したとき、再送信によって新たなディスクへ記録し直すことは、ユーザにとって当然の要求であるため拒否できないが、反面、これを悪用されると上記のような手法により、コンテンツプロバイダは大きな損失を被ることになる。【００３７】
その対策として例えば、ＤＶＤ−Ｒディスクへの記録をユーザ情報領域ＵＩＡから開始し、リードアウト領域ＲＯＡまで順に外周側へ記録したあとで、最後にリードイン領域ＲＩＡに記録するように設計することも考えられる。ディスクキーを含む制御データＳＤ（或いは制御データＳＤを含む制御情報領域ＳＩＡの情報）が最後に書かれるので、ディスクへの記録を途中で意図的に中断させて記録失敗したこととしても、制御情報領域ＳＩＡの記録を行う前にディスクへの記録を中断すれば、ＤＶＤプレーヤーでは再生できないままとなるので、この対策は有効と考えられる。
しかし、再送信によって完全に記録完了したＤＶＤ−Ｒディスクを取得した後でその記録完了したディスクからリードイン領域ＲＩＡのデータを読み出し、それ以前に記録を途中で意図的に中断させて記録失敗させ、リードイン領域ＲＩＡ、あるいはその一部である制御情報領域ＳＩＡのみ未記録のまま取得しておいたディスクに対して補充記録すれば、ＤＶＤプレーヤーで完全に再生可能なディスクに改変することが可能になる。この結果、ダウンロードしたコンテンツの不正コピーを許してしまうことになる。【００３８】
そこで、本発明では、ＤＶＤ−Ｒのブランクディスクにエンボスピットで付与されている物理アドレスと、その物理アドレスのセクタに記録されるコンテンツ情報や制御データ等の制御情報領域の情報ＳＩのセクタのセクタ番号の関係をシフトさせること、及びユーザ情報領域ＵＩＡの記録と制御情報領域ＳＩＡの記録の順序を工夫することにより、この問題を回避するようにした。このシフト方向及び量（絶対値）を表すシフト値は、履歴解析で簡単には割り出したり予測したりすることができないように決定され、例えば乱数発生など、所定範囲内の値を生じさせることにより決定される。【００３９】
図３に、本発明の実施の形態１に係る情報記録方法において、シフト値を−１０００ｈとした場合に、記録される光ディスクの領域構成を示す。図２と比較して分かるように、セクタ番号として０３００００ｈから２６ＤＢＡＦｈを持つコンテンツ情報ＣＩのセクタは、本来、物理アドレスが０３００００ｈから２６ＤＢＡＦｈのセクタ (再生専用型光ディスクにおいてコンテンツ情報の記録される領域ＵＩＡ)に書かれるはずのデータであるが、本実施の形態では、物理アドレスを−１０００ｈだけシフトさせ、物理アドレス０２Ｆ０００ｈから２６ＣＢＡＦｈのセクタ（領域ＵＩＡに対して−１０００ｈだけシフトした領域ＵＩＡａ）に記録している。すなわち、コンテンツ情報を記録するディスク上の位置を１０００ｈセクタ（４０９６セクタ）分だけ内周側にシフトさせている。なお、コンテンツ情報の末尾のセクタ番号２６ＤＢＡＦｈは一例であり、一般にコンテンツの長さによって変化する。以下、このシフトさせるセクタ数のことをシフトの向きも含めて「シフト値」と呼ぶ。シフト値が負数の時は内周側へのシフトを示す。【００４０】
同様に、制御データＳＤはセクタ番号として０２Ｆ２００ｈから０２ＦＤＦＦｈを持ち、物理アドレスが０２Ｆ２００ｈから０２ＦＤＦＦｈのセクタ(再生専用型光ディスクにおいて制御データの記録される領域ＳＤＡ)に書かれるはずのデータであるが、本実施の形態では、物理アドレスを−１０００ｈだけシフトさせ、物理アドレスが０２Ｅ２００ｈから０２ＥＤＦＦｈのセクタ（領域ＳＤＡに対して−１０００ｈだけシフトした領域ＳＤＡａ）に記録している。制御データＳＤを含む制御情報領域のデータＳＩも同様に、物理アドレスが０２Ｅ０００ｈから０２ＥＦＦＦｈのセクタ(再生専用型光ディスクにおいて制御情報の記録される領域ＳＩＡに対して−１０００ｈだけシフトした領域ＳＩＡａ)に記録される。
この結果、本来、制御情報領域のデータＳＩが記録されることになっている物理アドレスが０２Ｆ２００ｈから０２ＦＤＦＦｈのセクタ（再生専用型光ディスクにおいて制御情報の記録される領域ＳＩＡ）には、コンテンツ情報ＣＩが記録されることになる。【００４１】
図４に、本発明の実施の形態１に係る情報記録方法において、シフト値を−２０００ｈとした場合に記録される光ディスクの領域構成を示す。この例では、本来、物理アドレスが０３００００ｈから２６ＤＢＡＦｈのセクタ(再生専用型光ディスクにおいてコンテンツ情報の記録される領域ＵＩＡ)に書かれるはずのコンテンツ情報は、物理アドレス０２Ｅ０００ｈから２６ＢＢＡＦｈのセクタ（領域ＵＩＡに対して−２０００ｈだけシフトした領域ＵＩＡｂ）に記録されている。そして、物理アドレスが０２Ｆ０００ｈから０２ＦＦＦＦｈのセクタ(から成る領域ＳＩＡ)に書かれるはずの制御情報領域のデータＳＩは、物理アドレスが０２Ｄ０００ｈから０２ＤＦＦＦｈのセクタ（領域ＳＩＡに対して−２０００ｈだけシフトした領域ＳＩＡｂ）に記録されている。
この結果、やはり本来、制御情報領域のデータＳＩが記録されるべき物理アドレスが０２Ｆ０００ｈから０２ＦＦＦＦｈのセクタ(再生専用型光ディスクにおいて制御情報の記録される領域ＳＩＡ)には、コンテンツ情報ＣＩが記録されることになる。【００４２】
以上のように、本来、制御情報領域のデータＳＩが記録されるべき物理アドレスが０２Ｆ０００ｈから０２ＦＦＦＦｈのセクタ(再生専用型光ディスクにおいて制御情報の記録される領域ＳＩＡ)にコンテンツ情報ＣＩを記録してしまうことが本実施の形態１の特長である。そのため、シフト値が−１０００ｈ以下（絶対値が１０００ｈ以上の負数）とされる。【００４３】
図５に、本発明の実施の形態１に係る情報記録方法における記録の手順を示す。図６は、図５のステップＳＴＩ（１１０）の詳細を示し、図７は、図５のステップＳＴＩＩ（１２０）及びステップＩＩＩ（１３０）の詳細を示す。
図５に示すように、実施の形態１に係る情報記録方法においては、記録型光ディスクにコンテンツのダウンロード記録を行なうとき、記録装置７に記録型光ディスク８をローディング（１００）した後、大別して次のような３段階のステップを実施する。【００４４】
まずステップＳＴＩとして、コンテンツ情報ＣＩを記録型光ディスクの所定位置Ｒａに記録する（１１０）。
次にステップＳＴＩＩとして、ステップＳＴＩによるコンテンツ情報ＣＩの記録が行われた後（コンテンツ情報ＣＩの全部の記録が完了した後）、制御情報ＳＩを記録型光ディスク８の所定位置Ｒｂに記録する（１２０）。【００４５】
最後にステップＳＴＩＩＩとして、ステップＳＴＩＩによる制御情報の記録が行われた後（制御情報ＣＩの全部の記録が完了した後、記録型光ディスク８が記録装置７から取り出される（１３０）。即ち、ユーザインタフェース９を用いたユーザからの取り出し要求に応じて、排出機構が動作して記録型光ディスク８が記録装置から排出(イジェクト)される。なお、記録が終わったときに、記録型光ディスク８を自動的に排出するようにしても良い。このような自動的排出もここでは「取り出し」と言う。【００４６】
ステップ１００でローディング（装着）が行われると、そのことが装着・取り出し検出手段７ａで検出され、検出結果が通信・制御装置７に伝達される。
ステップＳＴＩ（１１０）の処理は、ユーザインタフェース９を用いたユーザによる操作により、コンテンツの選択の指示、ダウンロード（記録）開始の指示に応じて開始されるものであり、図６に示されるように、ステップＳＴＩ（１１０）の中では、まず、コンテンツ情報を記録する所定位置Ｒａを後述の条件（３ａ）を満たし、かつ次の２つの条件（１）及び（２ａ）を満たすように選定する（１１１ａ）。【００４７】
条件（１）は、再生専用型光ディスクにおいてコンテンツ情報ＣＩの記録される領域ＵＩＡの物理アドレスに対して、所定位置Ｒａ（ＵＩＡａ、ＵＩＡｂ）をシフトさせることであり、条件（２ａ）は、そのシフト値は再生専用型光ディスクにおいて制御情報の記録される領域ＳＩＡの全体を所定位置Ｒａ（ＵＩＡａ、ＵＩＡｂ）に含むようにする値とすることである。このような所定位置Ｒａの選定は、シフト値の選定でもある。即ち、このシフト値は、上記の２つの条件（１）及び（２ａ）、並びに後述の条件（３ａ）を満たす範囲で、例えば乱数発生により、選定される。【００４８】
次に、選定したシフト値をユーザ端末機器４内に、例えば通信・制御装置５内のデータメモリ５ｃに、一時記憶し（１１２）、そのあと、選定したシフト値に基づいて定めた所定位置Ｒａにコンテンツ情報を記録する（１１３）。【００４９】
図７に示されるように、ステップＳＴＩＩ（１２０）では、まず、制御情報ＳＩを記録する所定位置Ｒｂを、再生専用型光ディスクにおいて制御情報ＳＩの記録される領域ＳＩＡの物理アドレスに対して、ステップＳＴＩで一時記憶したシフト値と同じだけシフトして求め（１２１）、そのあと、一時記憶したシフト値に基づいて定めた所定位置Ｒｂ（領域ＳＩＡａ、ＳＩＡｂ）に制御情報ＳＩを記録する（１２２）。
こうして、コンテンツ情報ＣＩと制御情報ＳＩをこの順で記録した後、ステップＳＴＩＩＩ（１３０）で、記録型光ディスク８が記録装置７から取り出されるが、このとき、まず、一時記憶したシフト値を破棄（１３１）してから、ディスクを排出する（１３２）ようにする。【００５０】
シフト値の破棄は、上記の手順で、図５、図６、図７に示されるステップＳＴＩ（１１０）、ステップＳＴＩＩ（１２０）が最後まで行われた場合のみならず、図６のステップＳＴＩのサブステップ（１１２）において、シフト値が記憶された後に、ディスク８が取り出されるときも行われる。そのことが図５、図６、図７では破線に示されている。【００５１】
シフト値の破棄（１３１）は、通信・制御装置５により行われるものであり、ユーザインタフェース９から取り出しの指示が与えられたときに行っても良く、さらに、通信・端末制御装置５が取り出しのための制御信号が発生されたときに行なっても良く、通信・端末制御装置５が取り出しのため制御信号を記録装置７に与えるときに行っても良い。いずれにしても図７に示すように、ディスクの排出前に行なうのが望ましいが、装着・取り出し検出手段７ａによりディスク８が取り出されたことが検出されたときに行うことしても良い。【００５２】
なお、上記では、サブステップＳＴ２（１１２）でシフト値を一時記憶させた後に光ディスク８が取り出されるときにシフト値が破棄されると説明したが、これは言い換えればコンテンツ情報の記録が開始された後に光ディスク８が取り出されるときに、シフト値が破棄されることを意味する。【００５３】
ステップＳＴＩで最初に、物理アドレスが０２Ｆ０００ｈから０２ＦＦＦＦｈのセクタ(通常の記録方法であれば（シフトを行なわなければ）制御情報領域のデータＳＩが記録されるべき領域、言い換えれば、再生専用型光ディスクにおいて制御情報の記録される領域ＳＩＡ)に、コンテンツ情報ＣＩを記録してしまう。
その結果、もしコンテンツ情報ＣＩを記録した後このディスクの記録完了までの間にこのディスク８をこの記録装置７から取り出した場合、あとから制御情報ＳＩを記録することが不可能になる。本来、物理アドレスが０２Ｆ０００ｈから０２ＦＦＦＦｈのセクタ（本来、制御情報ＳＩを記録するべき領域ＳＩＡ）には、コンテンツ情報ＣＩが記録されてしまっており、本来この領域ＳＩＡに記録するべき制御情報領域のデータＳＩをどこに記録すればよいか、わからなくなるからである。【００５４】
正常な使い方をして、ディスクを途中で取り出さないときは、このユーザ端末機器４がシフト値を一時記憶しているので、次のステップＳＴＩＩにおいて、制御情報領域のデータＳＩの記録位置を、コンテンツ情報ＣＩを記録した時に記録位置をシフトした量と同じだけシフトさせれば、制御情報領域のデータＳＩは正常に記録でき、かつ、記録した制御情報領域とコンテンツ情報とのディスク上の位置関係も再生専用型光ディスクにおける位置関係と同じにすることができる。再生専用型光ディスク用の再生装置、すなわち、ＤＶＤプレーヤーでは、再生専用型ディスクでも、記録済みの記録型ディスクでも、書かれているセクタ番号しか検出しないので、セクタ番号が物理アドレスと一致していなくても再生には何等問題ない。【００５５】
ここで、シフト値をそのディスク８をローディングしている期間だけ保持されるものとしておけば、一度そのディスクを記録装置から取り出してしまうと、二度とシフト値を知ることができなくなる。通常の記録装置では、記録型光ディスクの未記録領域に記録を行うとき、ディスクの物理アドレスを読み取って位置を検出し、記録するべきデータのセクタ番号と一致する物理アドレスを有するセクタを記録対象セクタとして識別して記録を実行する。したがって、物理アドレスと記録されるセクタのセクタ番号がシフトされていると、正常に記録することができなくなる。
以上のようにして、前述した、ディスクへの記録を途中で意図的に中断させて記録失敗させたディスクへの補充記録を阻止することが可能になる。【００５６】
なお、以上に説明した例では、ディスク上のデータの記録位置を内周側にシフトさせることになる。リードイン領域ＲＩＡの内周端はディスク半径位置２２．６ｍｍである。
シフト値は、データの内周側への記録位置のシフトをこの範囲の中に収める必要がある。記録半径位置の内周側へのシフト幅が、１．４ｍｍを超えてはならないことが分かる。またＤＶＤプレーヤーでは、偏芯ディスクでも正常再生するため、マージンを考慮する必要があり、このマージンを０．４ｍｍとすればシフト値の限界は１．０ｍｍとなる。このように、制御情報ＳＩをマージンを考慮に入れたディスクの内周側の限界位置よりも外側に記録すると言う制約（条件（３ａ））があり、シフト値の選定に当たっては、上記の条件（１）及び（２ａ）のみならず、ここで述べた制約（条件（３ａ））をも選定の条件に入れる必要がある。
上記に例示したシフト値−１０００ｈ、−２０００ｈの場合、記録半径位置の内周側へのシフト幅はそれぞれ０．１０４ｍｍ、０．２０８ｍｍであり問題はなく、さらに広い範囲で選定可能である。【００５７】
以上説明した例で、ユーザ情報領域ＵＩＡと制御情報領域ＳＩＡをこの順序で記録するようにした。コンテンツをダウンロードするときのデータの配信の順序はこの記録の順序通りでなくても良い。ディスク上で内周側に位置するものから順に送っても良い。その場合、図１に示すユーザ端末機器４内では、ハードディスク６に一旦受信したデータを蓄積しておき、本実施の形態に示す方法でディスクに記録する。全データをハードディスク６に蓄積するようにすれば、ダウンロード中の通信途絶があっても再送信や追送信によって完全なデータをユーザ端末機器４内に溜めてからディスクへの記録を実施できる。通信中断による記録失敗を回避できるので、記録失敗を偽装したハッキングのリスクが回避できる利点がある。【００５８】
以上に説明したように、実施の形態１に係る情報記録方法によれば、暗号化されたコンテンツを記録型光ディスクへダウンロード記録するに際して、正しく１回だけ完全なコンテンツをディスクに記録して、再生専用型光ディスク用の再生装置で再生可能な光ディスクを作成することが可能になる。
また、ダウンロード記録中に記録失敗したディスクに対して、後から補修処理を施すことによって再生可能なディスクに改変されたり、不正に複製されることを回避することができる。
この結果として、実施の形態１に係る情報記録方法によって記録された情報記録媒体である光ディスクは、記録途中で不正な複製を回避する機能を発揮しつつ暗号化されたコンテンツの収録を完了し、記録後は既存の再生装置で再生することができる。【００５９】
実施の形態２．
本実施の形態２は、実施の形態１と同様にコンテンツ情報や制御情報領域のデータの記録位置を、シフトさせるものであり、概して前記の実施の形態１と同様である。ただし、ディスク上に記録するデータの記録位置を外周側にシフトさせる点が異なり、これに伴い追加の処理が必要になる。実施の形態２の情報記録方法も、例えば図１に示される情報記録装置で実施される。【００６０】
図８に、本発明の実施の形態２に係る情報記録方法によって記録される光ディスクの領域構成を示す。図２と比較して分かるように、セクタ番号として０３００００ｈから２６ＤＢＡＦｈを持つコンテンツ情報のセクタは、本来、物理アドレスが０３００００ｈから２６ＤＢＡＦｈのセクタ(再生専用型光ディスクにおいてコンテンツ情報の記録される領域ＵＩＡ)に書かれるはずのデータであるが、本実施の形態では、物理アドレスを＋１０００ｈだけシフトさせ、物理アドレス０３１０００ｈから２６ＥＢＡＦｈのセクタ（領域ＵＩＡに対して＋１０００ｈだけシフトした領域ＵＩＡｃ）に記録している。すなわち、コンテンツ情報を記録するディスク上の位置を１０００ｈセクタ（４０９６セクタ）分だけ外周側にシフトさせている。正数のシフト値が外周側へのシフトを示す。【００６１】
同様に制御データは、本実施の形態２では、物理アドレスを＋１０００ｈだけシフトさせ、物理アドレスが０３０２００ｈから０３０ＤＦＦｈのセクタ（から成る領域ＳＤＡｃ、即ち再生専用型光ディスクにおいてコンテンツ情報の記録される領域ＵＩＡの一部)に記録している。制御データＳＤを含む、制御情報領域の情報ＳＩも同様に、物理アドレスが０３００００ｈから０３０ＦＦＦｈのセクタから成る領域ＳＩＡｃ（再生専用型光ディスクにおいてコンテンツ情報の記録される領域ＵＩＡの一部)に記録される。
この結果、本来、制御情報領域のデータが記録されることになっている物理アドレスが０２Ｆ０００ｈから０２ＦＦＦＦｈのセクタ（再生専用型光ディスクにおいて制御情報の記録される領域（ＳＩＡ））が空くことになるため、不正コピー対策として、ダミーデータＤＤを記録する。【００６２】
図９に、本発明の実施の形態２に係る情報記録方法において、シフト値を＋２０００ｈとした場合に記録される光ディスクの領域構成を示す。この例では、コンテンツ情報ＣＩは、物理アドレス０３２０００ｈから２６ＦＢＡＦｈのセクタ(再生専用型光ディスクにおいてコンテンツ情報の記録される領域ＵＩＡに対して＋２０００ｈだけシフトした領域ＵＩＡｄ）に記録されている。そして、制御情報領域のデータＳＩは、物理アドレスが０３１０００ｈから０３１ＦＦＦｈのセクタ（再生専用型光ディスクにおいて制御情報の記録される領域ＳＩＡに対して＋２０００ｈだけシフトした領域ＳＩＡｄであり、再生専用型光ディスクにおいてコンテンツ情報の記録される領域ＵＩＡの一部である)に記録される。
この結果、やはり本来、制御情報領域のデータが記録されることになっている物理アドレスが０２Ｆ０００ｈから０２ＦＦＦＦｈのセクタ（再生専用型光ディスクにおいて制御情報の記録される領域（ＳＩＡ））が空くことになるため、不正コピー対策として、ダミーデータを記録する。ダミーデータとしては、パディングデータと同じくすべて００ｈの値を有するデータを記録してもよく、００ｈ以外の任意の値を有するデータを記録しても良い。
また、物理アドレスが０３００００ｈから０３０ＦＦＦｈのセクタ（領域ＵＩＡの一部であり、領域ＵＩＡｄと領域ＳＩＡｄの間の領域)が空くが、ここはパディングデータ−１（ＰＤ１）の続きとみなして、パディングデータ−１ａ（ＰＤ１ａ）を記録する。【００６３】
以上のように、本来、制御情報領域のデータが記録されるべき物理アドレスが０２Ｆ０００ｈから０２ＦＦＦＦｈのセクタ（再生専用型光ディスクにおいて制御情報の記録される領域（ＳＩＡ））にダミーデータＤＤを記録することが、本実施の形態２の特長である。そのため、シフト値が＋１０００ｈ以上とされる。【００６４】
実施の形態２に係る情報記録方法の全体的手順は、図５に示したのと同様である。しかし、図５のステップＳＴＩとして、図６に示す処理の代わりに、図１０に示す処理が行なわれる。図１０に示される処理は、実施の形態１について図６を参照して説明したのと慨して同じであり、以下では異なる点を中心に説明する。
記録型光ディスクにコンテンツのダウンロード記録を行なうとき、記録装置７に記録型光ディスク８をローディング（１００）した後、大別して３段階のステップ（図５のステップＳＴＩ、ステップＳＴＩＩ、ステップＳＴＩＩＩ）を実施するところは同じである。【００６５】
ステップＳＴＩ（１１０）の中では、まず、コンテンツ情報を記録する所定位置Ｒａを後述の条件（３ｂ）を満たし、かつ次の２つの条件（１）及び（２ｂ）を満たすように選定する（１１１ｂ）。
条件（１）は、再生専用型光ディスクにおいてコンテンツ情報ＣＩの記録される領域ＵＩＡの物理アドレスに対して、所定位置Ｒａ（ＵＩＡｃ、ＵＩＡｄ）をシフトさせることであり、図６の条件（１）と同じである。【００６６】
条件（２ｂ）は、図６の条件（２ａ）と異なり、そのシフト値は再生専用型光ディスクにおいて制御情報の記録される領域ＳＩＡの全体を所定位置Ｒｂ（ＣＩＡｃ、ＣＩＡｄ）に含まないようにする値とすること、即ち、後に記録されることになる制御情報ＳＩが、再生専用型光ディスクにおいて制御情報の記録される領域（即ち、物理アドレス０２Ｆ０００ｈから０２ＦＦＦＦｈまでの領域）ＳＩＡには記録されないようにすることである。このことは、再生専用型光ディスクにおいてコンテンツ情報が記録される領域（０３００００ｈ以降）ＵＩＡに制御情報ＳＩが記録されるようにすることを意味する。
上記の所定位置Ｒａの選定は、シフト値の選定でもある。即ち、このシフト値は、上記の２つの条件（１）及び（２ｂ）、並びに後述の条件（３ｂ）を満たす範囲で、例えば乱数発生により、選定される。【００６７】
次に、選定したシフト値をユーザ端末機器４内に、例えば通信・制御装置５内のメモリ５ｃに一時記憶し（１１２）、そのあと、選定したシフト値に基づいて定めた所定位置Ｒａにコンテンツ情報を記録する（１１３）。【００６８】
さらに本実施の形態２では、サブステップＳＴ４として示したように、再生専用型光ディスクにおいて制御情報の記録される領域ＳＩＡにダミーデータＤＤを書込む（１１４）。
なお、サブステップＳＴ４（１１４）はサブステップＳＴ３（１１３）のあとに実施するよう記載したが、逆の順序で記録してもよい。ステップＳＴＩ（１１０）の中であれば効果は同じとなる。【００６９】
以下、実施の形態１について図７を参照して説明したのと同様に、ステップＳＴＩＩ（１２０）では、まず、制御情報ＳＩを記録する所定位置Ｒｂを、再生専用型光ディスクにおいて制御情報の記録される領域ＳＩＡの物理アドレスに対して、ステップＳＴＩで一時記憶したシフト値と同じだけシフトして求め（１２１）、そのあと、一時記憶したシフト値に基づいて定めた所定位置Ｒｂ（ＳＩＡｃ、ＳＩＡｄ）に制御情報を記録する（１２２）。
こうして、コンテンツ情報ＣＩと制御情報ＳＩをこの順で記録した後、ステップＳＴＩＩＩ（１３０）で、記録型光ディスク８を記録装置７から取り出すが、このとき、まず、一時記憶したシフト値を破棄（１３１）してから、ディスクを排出する（１３２）ようにする。【００７０】
なお、シフト値の破棄は、図５、図１０、図７に示される手順で、ステップＳＴＩ（１１０）、ステップＳＴＩＩ（１２０）が最後まで行われた場合のみならず、図１０のステップＳＴＩのサブステップ（１１２）において、シフト値が記憶された後に、ディスク８が取り出されるときに行われる。そのことが図１０でも破線に示されている。【００７１】
ステップＳＴＩで最初に、物理アドレスが０２Ｆ０００ｈから０２ＦＦＦＦｈのセクタ(通常の記録方法であれば（シフトを行なわなければ）制御情報領域のデータＳＩが記録されるべき領域、言い換えれば再生専用型光ディスクにおいて制御情報の記録される領域ＳＩＡ)に、ダミーデータＤＤを記録してしまう。
その結果、もしコンテンツ情報ＣＩを記録した後このディスクの記録完了までの間にこのディスク８をこの記録装置７から取り出した場合、あとから制御情報ＳＩを記録することが不可能になる。本来、物理アドレスが０２Ｆ０００ｈから０２ＦＦＦＦｈのセクタ（本来、制御情報ＳＩを記録するべき領域ＳＩＡ）には、ダミーデータＤＤが記録されてしまっており、本来この領域ＳＩＡに記録するべき制御情報領域のデータＳＩをどこに記録すればよいか、わからなくなるからである。【００７２】
正常な使い方をして、ディスクを途中で取り出さないときは、このユーザ端末機器４がシフト値を一時記憶しているので、次のステップＳＴＩＩにおいて、制御情報領域のデータＳＩの記録位置を、コンテンツ情報ＣＩを記録した時に記録位置をシフトした量と同じだけシフトさせれば、制御情報領域のデータＳＩは正常に記録でき、かつ、記録した制御情報領域とコンテンツ情報とのディスク上の位置関係も再生専用型光ディスクにおける位置関係と同じにすることができる。再生専用型光ディスク用の再生装置、すなわち、ＤＶＤプレーヤーでは、再生専用型ディスクでも、記録済みの記録型ディスクでも、書かれているセクタ番号しか検出しないので、セクタ番号が物理アドレスと一致していなくても再生には何等問題ない。【００７３】
ここで、シフト値をそのディスク８をローディングしている期間だけ保持されるものとしておけば、一度そのディスクを記録装置から取り出してしまうと、二度とシフト値を知ることができなくなる。通常の記録装置では、記録型光ディスクの未記録領域に記録を行うとき、ディスクの物理アドレスを読み取って位置を検出し、記録するべきデータのセクタ番号と一致する物理アドレスを有するセクタを記録対象セクタとして識別して記録を実行する。したがって、物理アドレスと記録されるセクタのセクタ番号がシフトされていると、正常に記録することができなくなる。
以上のようにして、実施の形態１と同じく、前述した、ディスクへの記録を途中で意図的に中断させて記録失敗させたディスクへの補充記録を阻止することが可能になる。【００７４】
ここに説明した例では、ディスク上のデータの記録位置を外周側にシフトさせることになり、コンテンツ情報ＣＩの終端部分が外周側のリードアウト領域ＲＯＡにはみ出すことになる。リードアウト領域ＲＯＡの外周端はディスク半径位置５８．５ｍｍである。
シフト値は、データの外周側への記録位置のシフトをこの範囲の中に収める必要がある。記録半径位置の外周側へのシフト幅が、０．５ｍｍを超えてはならないことが分かる。ＤＶＤプレーヤーで、偏芯ディスクを正常再生するためのマージンを考慮する必要があり、このマージンを０．１ｍｍとすればシフト幅の限界は、０．４ｍｍとなる。このように、コンテンツ情報ＣＩをマージンを考慮に入れたディスクの外周側の限界位置よりも内側に記録すると言う制約（条件（３ｂ））があり、シフト値の選定に当たっては、上記の条件（１）及び（２ｂ）のみならず、ここで述べた制約（条件（３ｂ））をも選定の条件に入れる必要がある。
上記に例示したシフト値＋１０００ｈ、＋２０００ｈの場合、記録半径位置の外周側へのシフト幅はそれぞれ０．０４３ｍｍ、０．０８６ｍｍであり問題はなく、さらに広い範囲で選定可能である。【００７５】
以上説明した例で、ユーザ情報領域ＵＩＡと制御情報領域ＳＩＡをこの順序で記録するようにした。実施の形態１について述べたのと同様に、コンテンツをダウンロードするときのデータの配信の順序はこの記録の順序通りでなくても良い。ディスク上で内周側に位置するものから順に送っても良い。その場合、図１に示すユーザ端末機器４内では、ハードディスク６に一旦受信したデータを蓄積しておき、本実施の形態に示す方法でディスクに記録する。全データをハードディスク６に蓄積するようにすれば、ダウンロード中の通信途絶があっても再送信や追送信によって完全なデータをユーザ端末機器４内に溜めてからディスクへの記録を実施できる。通信中断による記録失敗を回避できるので、記録失敗を偽装したハッキングのリスクが回避できる利点がある。【００７６】
以上に説明したように、実施の形態２に係る情報記録方法によれば、暗号化されたコンテンツを記録型光ディスクへダウンロード記録するに際して、正しく１回だけ完全なコンテンツをディスクに記録して、再生専用型光ディスク用の再生装置で再生可能な光ディスクを作成することが可能になる。
また、ダウンロード記録中に記録失敗したディスクに対して、後から補修処理を施すことによって再生可能なディスクに改変されたり、不正に複製されることを回避することができる。
この結果として、実施の形態２に係る情報記録方法によって記録された情報記録媒体である光ディスクは、記録途中で不正な複製を回避する機能を発揮しつつ暗号化されたコンテンツの収録を完了し、記録後は既存の再生装置で再生することができる。【００７７】
実施の形態３．
実施の形態３の情報記録方法も、例えば図１に示される情報記録装置で実施される。実施の形態３に係る情報記録方法の全体的手順は、図５に示したのと同様である。しかし、図５のステップＳＴＩとして、図６に示す処理の代わりに、図１１に示す堀が行なわれる。図１１に示される処理は、実施の形態１について図６を参照して説明した処理や、実施の形態２について図１０を参照して説明した処理と概して同じであるが、シフト値を負の値にも正の値にも選定可能としたものであり、その点で、図６の方法と図１０の方法を合併したものとも言える。以下、図６や図１０の方法と異なる点を中心に説明する。【００７８】
図１１で、図６、図１０と同じ符号は、同様の処理を示す。
ステップＳＴＩのサブステップＳＴ１（１１１ｃ）は、図６のサブステップ１１１ａや図１０のステップ１１１ｂと同様であるが、コンテンツ情報を記録する所定位置Ｒａを選定するときに、図６のサブステップ１１１ａの条件（１）及び（２ａ）並びに条件（３ａ）ではなく、図１０のサブステップ１１１ｂの条件（１）及び（２ｂ）並びに条件（３ｂ）でもなく、条件（１）及び条件（２ｃ）、並びに条件（３ａ）及び（３ｂ）である。
条件（１）は、図６や図１０で述べたのと同様、再生専用型光ディスクにおいてコンテンツ情報の記録される領域の物理アドレスに対して、所定位置Ｒａをシフトさせることある。
条件（２ｃ）は、このシフト値が制御情報の記録される領域ＳＩＡのサイズ以上の大きさ（絶対値）を持つことである。
条件（３ａ）は、図６を参照して述べたのと同様、シフト後も制御情報ＳＩがマージンを考慮に入れたディスクの内周側の限界位置よりも外側に記録されることである。
条件（３ｂ）は、図１０を参照して述べたのと同様、シフト後もコンテンツ情報ＣＩがマージンを考慮に入れたディスクの外周側の限界位置よりも内側に記録されると言う条件（３ｂ）である。【００７９】
また、サブステップＳＴ３（１１３）の次に、判定のサブステップＳＴ５（１１５）を追加し、一時記憶したシフト値に基づく所定位置Ｒａが、再生専用型光ディスクにおいて制御情報の記録される領域ＳＩＡを含むか、否かを判定する。この判定に当たっては、例えば、シフト値が負であれば、「含む」と判断し、シフト値が正であれば、「含まない」と判断することとしても良い。
一時記憶したシフト値が再生専用型光ディスクにおいて制御情報の記録される領域ＳＩＡを所定位置Ｒａに含まないようにする値である場合、サブステップＳＴ４として示したように、再生専用型光ディスクにおいて制御情報の記録される領域ＳＩＡにダミーデータＤＤを書込む（１１４）。
一時記憶したシフト値が再生専用型光ディスクにおいて制御情報の記録される領域ＳＩＡを所定位置Ｒａに含むようにする値である場合には、ステップＳＴＩＩに進む。【００８０】
なお、判定のサブステップＳＴ５（１１５）とサブステップＳＴ４（１１４）の組を、サブステップＳＴ３（１１３）のあとに実施するよう記載したが、逆の順序で記録してもよい。すなわち、判定のステップＳＴ５（１１５）を先に行い、サブステップＳＴ５（１１５）で「含む」と判定されたときは、サブステップ１１５の次にサブステップ１１３に進み、サブステップＳＴ５（１１５）で「含まない」と判定されたときは、サブステップＳＴ５（１１５）の次にサブステップＳＴ４（１１４）、サブステップＳＴ３（１１３）の順に処理を行なうこととしても良い。このように処理の順序を変えても、ステップＳＴＩ（１１０）の中であれば効果は同じとなる。【００８１】
ステップＳＴＩＩ，ステップＳＴＩＩＩの処理は、図６、図１０と同様に行われる。特に、ステップＳＴＩＩＩ（１３０）において、記録型光ディスク８が記録装置７から取り出されるとき、一時記憶したシフト値が破棄される（１３１）点も、図６、図１０を参照して説明したのと同様である。
また、実施の形態１、２と同じく、シフト値の破棄は、図５、図１１、図７に示される手順で、ステップＳＴＩ（１１０）、ステップＳＴＩＩ（１２０）が最後まで行われた場合のみならず、図１１のステップＳＴＩのサブステップ（１１２）において、シフト値が記憶された後に、ディスク８が取り出されるときに行われる。そのことが図１１でも破線に示されている。【００８２】
以上述べた点以外では、実施の形態３は実施の形態１、２と同様であり、実施の形態１、２と同様の効果が得られる。
また、本実施の形態３の特長として、シフト値の選択範囲が倍加することが上げられる。本発明では、シフト値をユーザから隠すことによって、途中まで記録されたディスクを補充記録することによる不正なコピーや、不正な改変を回避することを実現するので、シフト値の選択範囲が広がる分だけ、効果も大きくなる。【００８３】
上記の実施の形態では、記録位置のシフト値が制御情報の記録される領域ＳＩＡのサイズ以上の大きさ（絶対値）を持つようにしているが、本発明はこれに限定されず、記録位置のシフト値が制御情報の記録される領域ＳＩＡのサイズ未満の大きさ（絶対値）を持っていてもよい。即ち、実施の形態１についての条件（２ａ）、実施の形態２についての条件（２ｂ）、実施の形態３についての条件（２ｃ）は満たされなくてもよい。記録位置のシフト値が制御情報の記録される領域ＳＩＡのサイズ未満であっても、記録位置のシフトを行うことで、制御情報の少なくとも一部が、再生専用型光ディスクにおいて制御情報の記録される領域以外の領域に記録されることになり、シフト値が不明であれば、制御情報の少なくとも一部が、正しく適切に再生できず、従って、コンテンツ情報を再生することができない。【００８４】
以上、物理アドレスがエンボスピットで表現されるＤＶＤ−Ｒについて説明した。ＤＶＤ＋Ｒの場合には、物理アドレスがウォブルされている溝のウォブルの位相、周期を変調することで表現される。本発明はそのような場合にも適用可能である。【００８５】
以上、ユーザ端末で記録を行う場合について説明したが、本発明は、一般のユーザ（個人的目的で記録を行う者）が用いる端末（狭義のユーザ端末）に限らず、それ以外の情報端末で記録を行う場合にも適用可能であり、そのような記録により情報記録媒体を製造する場合にも適用可能である。
【図１】
2009050907.tif 000003
【図２】
2009050907.tif 000004
【図３】
2009050907.tif 000005
【図４】
2009050907.tif 000006
【図５】
2009050907.tif 000007
【図６】
2009050907.tif 000008
【図７】
2009050907.tif 000009
【図８】
2009050907.tif 000010
【図９】
2009050907.tif 000011
【図１０】
2009050907.tif 000012
【図１１】
2009050907.tif 000013
【手続補正書】
【提出日】平成22年1月29日(2010.1.29)
【手続補正１】
【補正対象書類名】明細書
【補正対象項目名】００１２
【補正方法】変更
【補正の内容】
【００１２】
本発明の情報記録方法は、
コンテンツの暗号キーを含む制御情報と、該暗号化キーを利用して暗号化されたデータを含むコンテンツ情報とから成り、情報端末機器で記録するために転送されるデータを、該情報端末機器に備えられる記録装置によって記録型光ディスクに記録し、所定の再生専用型光ディスク用の再生装置で再生可能な情報記録媒体として提供する情報記録方法であって、
前記コンテンツ情報を前記記録型光ディスクの第１の所定位置に記録する第１のステップと、
前記第１のステップの後に、前記制御情報を前記記録型光ディスクの第２の所定位置に記録する第２のステップとを有し、
前記第１のステップは、
前記第１の所定位置を、再生専用型光ディスクにおいて前記コンテンツ情報の記録される領域の物理アドレスに対して所定範囲内でシフトさせるシフト値を選定するサブステップと、
該選定したシフト値を情報端末機器内に一時記憶するサブステップと、
該選定したシフト値に基づいて定めた前記第１の所定位置に前記コンテンツ情報を記録するサブステップとを有し、
前記第２のステップは、再生専用型光ディスクにおいて前記制御情報の記録される領域の物理アドレスに対して、前記一時記憶したシフト値と同じだけシフトした位置を前記第２の所定位置と定めて、該第２の所定位置に前記制御情報を記録し、
前記第１のステップの開始後に前記光ディスクが前記記録装置から取り出されたあと、再び記録されるとき迄に前記一時記憶したシフト値を消去するステップをさらに有する
ことを特徴とする。
【手続補正２】
【補正対象書類名】明細書
【補正対象項目名】００１３
【補正方法】変更
【補正の内容】
【００１３】
本発明の情報記録装置は、
コンテンツの暗号キーを含む制御情報と、該暗号化キーを利用して暗号化されたデータを含むコンテンツ情報とから成り、記録するために転送されるデータを、記録型光ディスクに記録し、所定の再生専用型光ディスク用の再生装置で再生可能な情報記録媒体として提供する情報記録装置であって、
記録するために転送されるデータを、記録型光ディスクに記録する記録装置と、
前記記録装置に、前記コンテンツ情報を前記記録型光ディスクの第１の所定位置に記録させ、前記コンテンツ情報の記録が行われた後で、前記制御情報を前記記録型光ディスクの第２の所定位置に記録させる通信・制御装置とを備え、
前記通信・制御装置は、
前記第１の所定位置を、再生専用型光ディスクにおいて前記コンテンツ情報の記録される領域の物理アドレスに対して所定範囲内でシフトさせるシフト値を選定し、選定されたシフト値を前記情報記録装置内のメモリに記憶させ、該選定したシフト値に基づいて定められた前記第１の所定位置に前記コンテンツ情報を記録させ、
再生専用型光ディスクにおいて前記制御情報の記録される領域の物理アドレスに対して、前記一時記憶したシフト値と同じだけシフトした位置を前記第２の所定位置と定めて、該第２の所定位置に前記制御情報を記録させ、
前記コンテンツ情報の記録の開始後に前記記録型光ディスクが取り出されたあと、再び記録されるとき迄に前記一時記憶したシフト値を前記メモリから消去させる
ことを特徴とする。
【手続補正３】
【補正対象書類名】特許請求の範囲
【補正対象項目名】全文
【補正方法】変更
【補正の内容】
【特許請求の範囲】
【請求項１】
コンテンツの暗号キーを含む制御情報と、該暗号化キーを利用して暗号化されたデータを含むコンテンツ情報とから成り、情報端末機器で記録するために転送されるデータを、該情報端末機器に備えられる記録装置によって記録型光ディスクに記録し、所定の再生専用型光ディスク用の再生装置で再生可能な情報記録媒体として提供する情報記録方法であって、
前記コンテンツ情報を前記記録型光ディスクの第１の所定位置に記録する第１のステップと、
前記第１のステップの後に、前記制御情報を前記記録型光ディスクの第２の所定位置に記録する第２のステップとを有し、
前記第１のステップは、
前記第１の所定位置を、再生専用型光ディスクにおいて前記コンテンツ情報の記録される領域の物理アドレスに対して所定範囲内でシフトさせるシフト値を選定するサブステップと、
該選定したシフト値を情報端末機器内に一時記憶するサブステップと、
該選定したシフト値に基づいて定めた前記第１の所定位置に前記コンテンツ情報を記録するサブステップとを有し、
前記第２のステップは、再生専用型光ディスクにおいて前記制御情報の記録される領域の物理アドレスに対して、前記一時記憶したシフト値と同じだけシフトした位置を前記第２の所定位置と定めて、該第２の所定位置に前記制御情報を記録し、
前記第１のステップの開始後に前記光ディスクが前記記録装置から取り出されたあと、再び記録されるとき迄に前記一時記憶したシフト値を消去するステップをさらに有する
ことを特徴とする情報記録方法。
【請求項２】
コンテンツの暗号キーを含む制御情報と、該暗号化キーを利用して暗号化されたデータを含むコンテンツ情報とから成り、サーバからダウンロードされ、情報端末機器で受信するダウンロードデータを、該情報端末機器に備えられる記録装置によって記録型光ディスクに記録し、所定の再生専用型光ディスク用の再生装置で再生可能な情報記録媒体として提供する情報記録方法であって、
前記コンテンツ情報を前記記録型光ディスクの第１の所定位置に記録する第１のステップと、
前記第１のステップの後に、前記制御情報を前記記録型光ディスクの第２の所定位置に記録する第２のステップとを有し、
前記第１のステップは、
前記第１の所定位置を、再生専用型光ディスクにおいて前記コンテンツ情報の記録される領域の物理アドレスに対して所定範囲内でシフトさせるシフト値を選定するサブステップと、
該選定したシフト値を情報端末機器内に一時記憶するサブステップと、
該選定したシフト値に基づいて定めた前記第１の所定位置に前記コンテンツ情報を記録するサブステップとを有し、
前記第２のステップは、再生専用型光ディスクにおいて前記制御情報の記録される領域の物理アドレスに対して、前記一時記憶したシフト値と同じだけシフトした位置を前記第２の所定位置と定めて、該第２の所定位置に前記制御情報を記録し、
前記第１のステップの開始後に前記光ディスクが前記記録装置から取り出されたあと、再び記録されるとき迄に前記一時記憶したシフト値を消去するステップをさらに有する
ことを特徴とする情報記録方法。
【請求項３】
前記第１のステップの前記シフト値を選定するサブステップにおいて、前記シフト値を、再生専用型光ディスクにおいて制御情報の記録される領域が前記第１の所定位置に含まれるように選定する
ことを特徴とする請求項１又は２に記載の情報記録方法。
【請求項４】
前記第１のステップの前記シフト値を選定するサブステップにおいて、前記シフト値を、再生専用型光ディスクにおいて制御情報の記録される領域が前記第２の所定位置に含まれないように選定し、
前記第１のステップが、再生専用型光ディスクにおいて制御情報の記録される領域にダミーデータを記録するサブステップをさらに有する
ことを特徴とする請求項１又は２に記載の情報記録方法。
【請求項５】
前記第１のステップが、
前記選定されたシフト値により定められた前記第１の所定位置が、再生専用型光ディスクにおいて制御情報の記録される領域を含むかどうかを判定するサブステップと、
前記判定するサブステップにおいて、前記シフト値により定められた前記第１の所定位置が、再生専用型光ディスクにおいて制御情報の記録される領域を含まないと判定された場合には、再生専用型光ディスクにおいて制御情報の記録される領域にダミーデータを記録するサブステップとをさらに有する
ことを特徴とする請求項１又は２に記載の情報記録方法。
【請求項６】
コンテンツの暗号キーを含む制御情報と、該暗号化キーを利用して暗号化されたデータを含むコンテンツ情報とから成り、記録するために転送されるデータを、記録型光ディスクに記録し、所定の再生専用型光ディスク用の再生装置で再生可能な情報記録媒体として提供する情報記録装置であって、
記録するために転送されるデータを、記録型光ディスクに記録する記録装置と、
前記記録装置に、前記コンテンツ情報を前記記録型光ディスクの第１の所定位置に記録させ、前記コンテンツ情報の記録が行われた後で、前記制御情報を前記記録型光ディスクの第２の所定位置に記録させる通信・制御装置とを備え、
前記通信・制御装置は、
前記第１の所定位置を、再生専用型光ディスクにおいて前記コンテンツ情報の記録される領域の物理アドレスに対して所定範囲内でシフトさせるシフト値を選定し、選定されたシフト値を前記情報記録装置内のメモリに記憶させ、該選定したシフト値に基づいて定められた前記第１の所定位置に前記コンテンツ情報を記録させ、
再生専用型光ディスクにおいて前記制御情報の記録される領域の物理アドレスに対して、前記一時記憶したシフト値と同じだけシフトした位置を前記第２の所定位置と定めて、該第２の所定位置に前記制御情報を記録させ、
前記コンテンツ情報の記録の開始後に前記記録型光ディスクが取り出されたあと、再び記録されるとき迄に前記一時記憶したシフト値を前記メモリから消去させる
ことを特徴とする情報記録装置。
【請求項７】
コンテンツの暗号キーを含む制御情報と、該暗号化キーを利用して暗号化されたデータを含むコンテンツ情報とから成り、サーバからダウンロードされたダウンロードデータを、記録型光ディスクに記録し、所定の再生専用型光ディスク用の再生装置で再生可能な情報記録媒体として提供する情報記録装置であって、
サーバからダウンロードされたダウンロードデータを、記録型光ディスクに記録する記録装置と、
前記記録装置に、前記コンテンツ情報を前記記録型光ディスクの第１の所定位置に記録させ、前記コンテンツ情報の記録が行われた後で、前記制御情報を前記記録型光ディスクの第２の所定位置に記録させる通信・制御装置とを備え、
前記通信・制御装置は、
前記第１の所定位置を、再生専用型光ディスクにおいて前記コンテンツ情報の記録される領域の物理アドレスに対して所定範囲内でシフトさせるシフト値を選定し、選定されたシフト値を前記情報記録装置内のメモリに記憶させ、該選定したシフト値に基づいて定められた前記第１の所定位置に前記コンテンツ情報を記録させ、
再生専用型光ディスクにおいて前記制御情報の記録される領域の物理アドレスに対して、前記一時記憶したシフト値と同じだけシフトした位置を前記第２の所定位置と定めて、該第２の所定位置に前記制御情報を記録させ、
前記コンテンツ情報の記録の開始後に前記記録型光ディスクが取り出されたあと、再び記録されるとき迄に前記一時記憶したシフト値を前記メモリから消去させる
ことを特徴とする情報記録装置。
【請求項８】
前記通信・制御装置は、前記シフト値を、再生専用型光ディスクにおいて制御情報の記録される領域が前記第１の所定位置に含まれるように選定する
ことを特徴とする請求項６又は７に記載の情報記録装置。
【請求項９】
前記通信・制御装置は、
前記シフト値を、再生専用型光ディスクにおいて制御情報の記録される領域が前記第２の所定位置に含まれないように選定し、
前記記録装置に、再生専用型光ディスクにおいて制御情報の記録される領域にダミーデータを記録させる
ことを特徴とする請求項６又は７に記載の情報記録装置。
【請求項１０】
前記通信・制御装置は、
前記選定されたシフト値により定められた前記第１の所定位置が、再生専用型光ディスクにおいて制御情報の記録される領域を含むかどうかを判定し、
前記シフト値により定められた前記第１の所定位置が、再生専用型光ディスクにおいて制御情報の記録される領域を含まないと判定した場合には、前記記録装置に、再生専用型光ディスクにおいて制御情報の記録される領域にダミーデータを記録させる
ことを特徴とする請求項６又は７に記載の情報記録装置。
【請求項１１】
請求項１乃至５のいずれかに記載の情報記録方法によって、前記コンテンツ情報と前記制御情報が書き込まれた情報記録媒体。
【請求項１２】
請求項６乃至１０のいずれかに記載の情報記録装置によって、前記コンテンツ情報と前記制御情報が書き込まれた情報記録媒体。
【請求項１３】
請求項１乃至５のいずれかに記載の情報記録方法によって、前記コンテンツ情報と前記制御情報が書き込まれた情報記録媒体を製造する情報記録媒体製造方法。
【請求項１４】
請求項６乃至１０のいずれかに記載の情報記録装置を備えて、前記コンテンツ情報と前記制御情報が書き込まれた情報記録媒体を製造する情報記録媒体製造装置。
【国際調査報告】
2009050907.tif 000014
2009050907.tif 000015
2009050907.tif 000016
2009050907.tif 000017